(57)【特許請求の範囲】
【請求項１】
被写体像を結像するための撮影レンズ系と、
結像された被写体像を光電変換するための撮像素子と、
前記撮影レンズ系と前記撮像素子との間に配置され、前記撮像素子への入射光を機械的に遮断するための第１及び第２幕を有するフォーカルプレーンシャッタと、
シャッタ速度の設定値に応じて前記撮像素子及びフォーカルプレーンシャッタの動作を制御するための制御手段と、
を具備し、
前記制御手段は、
前記第１及び第２幕により前記入射光を遮蔽しないセットアップ状態を設定した後、
前記シャッタ速度が第１設定値である時、前記第１幕により前記入射光を遮蔽すると共に第２幕により前記入射光を遮蔽しないレディ状態を設定し、前記レディ状態において、前記撮像素子をオンした後、前記第１幕の開放を開始することにより露光時間の開始時点を規定し、
前記シャッタ速度が前記第１設定値より遅い第２設定値である時、前記レディ状態を設定することなく、前記セットアップ状態において、前記撮像素子をオンすることにより露光時間の開始時点を規定し、
前記シャッタ速度が前記第１設定値及び第２設定値のうち何れの設定値であっても、前記第２幕で前記撮像素子への入射光を遮蔽することにより前記露光時間の終了時点を規定する
ことを特徴とする電子カメラ。
【請求項２】
前記第１及び第２幕の夫々は、チャージ状態及びリリース状態間で駆動されることにより開閉され、且つ前記チャージ状態及び前記リリース状態において前記第１及び第２幕の閉鎖状態と開放状態とが互いに逆となるように設定され、前記レディ状態において、前記前記第１及び第２幕は前記チャージ状態におかれることを特徴とする請求項１に記載の電子カメラ。
【請求項３】
前記制御手段は、前記シャッタ速度が前記第１設定値である時、前記第１及び第２幕をタイムラグを以って前記チャージ状態からリリースすることにより、前記第１幕の後尾と前記第２幕の先頭との間にスリット状の隙間が形成されるように、前記第１及び第２幕を並行して走行させ、前記隙間を通して前記撮像素子の露光を行うようにすることを特徴とする請求項２に記載の電子カメラ。
【請求項４】
第１及び第２段の２段階で作動するレリーズスイッチを更に具備し、
前記制御手段は、前記シャッタ速度が前記第１設定値である時、前記第１段から前記第２段までの間は前記セットアップ状態を維持し、前記第２段後に前記レディ状態を設定する
ことを特徴とする請求項１乃至３のうちいずれか一つに記載の電子カメラ。
【発明の詳細な説明】
【０００１】
【発明の属する技術分野】
本発明は電子カメラに関し、より具体的には、フォーカルプレーンシャッタを内蔵する電子カメラにおいて、撮像素子のターンオン／オフにより規定される素子シャッタと、メカシャッタであるフォーカルプレーンシャッタとの動作タイミングを最適化した電子カメラに関する。
【０００２】
【従来の技術】
銀塩カメラ（銀塩フィルムを使用するカメラ）として、先幕及び後幕を有するタイプのフォーカルプレーンシャッタを内蔵するものが知られている。銀塩カメラでは、露光時間以外はフィルム面を遮蔽しなければならないため、このフォーカルプレーンシャッタの動作は以下のようなものとなる。
【０００３】
露光前は、先幕が常に遮蔽位置にあり、後幕は退避位置にある。レリース操作により、先幕が退避位置に移動してフィルム面が開放され、露光される。所定時間後、退避位置にある後幕が移動してフィルム面が遮蔽され、露光が終了する。即ち、先幕と後幕との動作のタイミングによりシャッタ秒時が決まる。低速時（例えば１／５００ＳＥＣ以上）には、先幕が退避してから後幕が移動するが、高速時には、先幕の移動中に後幕の移動が開始する。この場合、先幕の後尾と後幕の先頭との間のスリット状の隙間の間隔(大きさ)により、露光時間が決まる（スリットシャッタモード）。
【０００４】
これに対して、電子カメラにおいては、光電変換用の撮像素子、例えばＣＣＤのターンオン／オフにより規定される素子シャッタにより、銀塩カメラにおける露光時間に相当する時間を設定することができる。しかし、次のような理由から、電子カメラにおいても、メカシャッタが使用される。先ず、インタレースＣＣＤの場合は、露光終了にメカシャッタの動作が必要となる。また、プログレッシブＣＣＤの場合は、スミア対策上、素子シャッタで露光を完了させてから、直ちにメカシャッタで遮蔽する必要がある（従って、露光終了もメカシャッタで行ったほうがよい）。
【０００５】
例えば、特開平１１−１２２５４２には、先幕或いは後幕の一方のみを有するタイプのフォーカルプレーンシャッタを内蔵する電子カメラが開示される。また、特開平１１−２１８８３８には、絞り兼用シャッタとして機能する多数の羽根を有するタイプのフォーカルプレーンシャッタを内蔵する電子カメラが開示される。なお、上記後者の公報中には、先幕及び後幕を有するタイプのフォーカルプレーンシャッタも使用可能であることが付記される。
【０００６】
【発明が解決しようとする課題】
近年、電子カメラに対しても、銀塩カメラなみの高速シャッタ動作が要求されるようになっている。しかし、電子カメラに現在利用されている絞り兼用シャッタでは、羽根（メカ）の動作速度の制限により高速シャッタ動作を実現するのが困難である。絞り径によっても異なるが、一般的には１／５００〜１／１０００ＳＥＣが実用上絞り兼用シャッタにより達成可能な最高の速度である。
【０００７】
このため、フォーカルプレーンシャッタを使用することが望ましいが、以下のような理由から、同シャッタを銀塩カメラと同様な態様で制御すると問題が生じる。即ち、電子カメラは撮影時の露光時間以外でも、シャッタを開放する必要がある。例えば、画像表示ＬＣＤ上で被写体のモニタリングを行う場合や、撮像素子によりＡＥ（自動露光）／ＡＦ（自動焦点）処理のための測光を行う場合等がこれに該当する。従って、銀塩カメラのように、撮影時の露光時間以外は、シャッタのいずれかの幕で撮像素子を遮蔽するという単純な制御では、撮像素子の機能を十分に活用することができない。
【０００８】
本発明はかかる従来技術の問題点に基づいてなされたものであり、フォーカルプレーンシャッタを内蔵する電子カメラにおいて、撮像素子のターンオン／オフにより規定される素子シャッタと、メカシャッタであるフォーカルプレーンシャッタとの動作タイミングを最適化することにより、銀塩カメラなみの高速シャッタ動作を達成する一方、撮像素子の機能を十分に活用することができるようにすることを目的とする。
【０００９】
【課題を解決するための手段】
本発明の第１の視点は、電子カメラであって、被写体像を結像するための撮影レンズ系と、結像された被写体像を光電変換するための撮像素子と、前記撮影レンズ系と前記撮像素子との間に配置され、前記撮像素子への入射光を機械的に遮断するための第１及び第２幕を有するフォーカルプレーンシャッタと、シャッタ速度の設定値に応じて前記撮像素子及びフォーカルプレーンシャッタの動作を制御するための制御手段と、を具備し、前記制御手段は、前記第１及び第２幕により前記入射光を遮蔽しないセットアップ状態を設定した後、前記シャッタ速度が第１設定値である時、前記第１幕により前記入射光を遮蔽すると共に第２幕により前記入射光を遮蔽しないレディ状態を設定し、前記レディ状態において、前記撮像素子をオンした後、前記第１幕の開放を開始することにより露光時間の開始時点を規定し、前記シャッタ速度が前記第１設定値より遅い第２設定値である時、前記レディ状態を設定することなく、前記セットアップ状態において、前記撮像素子をオンすることにより露光時間の開始時点を規定し、前記シャッタ速度が前記第１設定値及び第２設定値のうち何れの設定値であっても、前記第２幕で前記撮像素子への入射光を遮蔽することにより前記露光時間の終了時点を規定することを特徴とする。
【００１０】
本発明の第２の視点は、第１の視点の電子カメラにおいて、前記第１及び第２幕の夫々は、チャージ状態及びリリース状態間で駆動されることにより開閉され、且つ前記チャージ状態及び前記リリース状態において前記第１及び第２幕の閉鎖状態と開放状態とが互いに逆となるように設定され、前記レディ状態において、前記前記第１及び第２幕は前記チャージ状態におかれることを特徴とする。
【００１１】
本発明の第３の視点は、第２の視点の電子カメラにおいて、前記制御手段は、前記シャッタ速度が前記第１設定値である時、前記第１及び第２幕をタイムラグを以って前記チャージ状態からリリースすることにより、前記第１幕の後尾と前記第２幕の先頭との間にスリット状の隙間が形成されるように、前記第１及び第２幕を並行して走行させ、前記隙間を通して前記撮像素子の露光を行うようにすることを特徴とする。
【００１２】
本発明の第４の視点は、第１乃至第３のいずれかの視点の電子カメラにおいて、第１及び第２段の２段階で作動するレリーズスイッチを更に具備し、前記制御手段は、前記シャッタ速度が前記第１設定値である時、前記第１段から前記第２段までの間は前記セットアップ状態を維持し、前記第２段後に前記レディ状態を設定することを特徴とする。
【００１４】
さらに、本発明に係る実施の形態には種々の段階の発明が含まれており、開示される複数の構成要件における適宜な組み合わせにより種々の発明が抽出され得る。例えば、実施の形態に示される全構成要件から幾つかの構成要件が省略されることで発明が抽出された場合、その抽出された発明を実施する場合には省略部分が周知慣用技術で適宜補われるものである。
【００１５】
【発明の実施の形態】
以下に本発明の実施の形態について図面を参照して説明する。なお、以下の説明において、略同一の機能及び構成を有する構成要素については、同一符号を付し、重複説明は必要な場合にのみ行う。
【００１６】
図１は本発明の実施の形態に係る電子カメラ内の回路を中心に全体の構成示すブロック図である。この電子カメラ１０は、例えば、カメラ本体と、同本体の前面に着脱自在に取付けられたレンズ鏡筒とを備える（外観は図示せず）。
【００１７】
レンズ鏡筒内部には、入射光側から順に、ズームレンズ２１と、絞り２２と、フォーカスレンズ２３とが配設される。ズームレンズ２１とフォーカスレンズ２３とにより、被写体像を結像するための撮影レンズ系が構成される。
【００１８】
一方、カメラ本体内の入口には、撮像レンズ系から入射した被写体像をＣＣＤ撮像素子３０側と光学ファインダ側とに分離するためのビームスプリッタ２４（分岐光路形成手段）が配設される。ビームスプリッタ２４と撮像素子３０との間には、シャッタ２５と、２種類の光学フィルタ２８、２９とが配設される。
【００１９】
シャッタ２５は、後述する態様で開閉駆動される先幕２６及び後幕２７を有するタイプのフォーカルプレーンシャッタからなる。フィルタ２８は、赤外線をカットするためのＩＲカットフィルタからなり、フィルタ２９は、モアレの発生を防止するためのローパスフィルタからなる。ＣＣＤ撮像素子（光電変換素子）３０は、撮像面３０ａに結像された入射した被写体像を光電変換し、電気信号として出力する。
【００２０】
撮影の対象である被写体の光像は撮影レンズ系２１、２３を介して取り込まれ、ＣＣＤ撮像素子３０上に結像される。この際、設定条件や撮影環境に応じて、ズームレンズ２１、絞り２２、フォーカスレンズ２３が、駆動制御部３１の制御下で、夫々ズームモータ３２、絞りアクチュエータ３３、及びＡＦ（オートフォーカス）モータ３４によって駆動される。また、シャッタ２５の先幕２６及び後幕２７は、駆動制御部３５の制御下で、夫々先幕アクチュエータ３６及び後幕アクチュエータ３７によって駆動される。各アクチュエータ３３、３６、３７はモータとソレノイドとの組み合せにより構成される。
【００２１】
撮像素子３０は、撮像面３０ａに結像された入射した被写体像を光電変換し、電気信号として出力する。撮像素子３０からの信号は、信号処理を行う撮像回路６３を介してＡ／Ｄ（アナログ／デジタル）変換回路６４に入力される。Ａ／Ｄ変換回路６４からの信号は、ＡＥ（自動露光）／ＡＦ（自動焦点）回路６５を介してシステムコントローラ６１に入力されると共に、バス６２を介して内蔵メモリ６６に入力される。
【００２２】
内蔵メモリ６６はバス６２を介してシステムコントローラ６１に接続される。内蔵メモリ６６に格納された画像データは、圧縮処理された後、バス６２からＩ／Ｆ（インターフェース）６９を介して、カードスロット内のメモリカード６８に記録される。この際、入力された画像データは、システムコントローラ６１の制御により、メモリカード６８に記録可能な信号に変換される。
【００２３】
また、バス８には、ＶＲＡＭ（ビデオＲＡＭ）７１、駆動制御部７２を介して画像表示ＬＣＤ１５が接続される。撮像素子３０或いはメモリカード６８から供給され、内蔵メモリ６６に格納された画像データは、駆動制御部７２を介して画像表示ＬＣＤ２６に送られ、映像として再生表示される。
【００２４】
システムコントローラ６１にはまた、操作部７３が接続される。操作部７３は種々の操作ボタン及び操作キーを含む。操作部７３を介してシステムコントローラ６１に操作指令が入力され、本電子カメラの動作が設定される。
【００２５】
システムコントローラ６１には更に、ストロボ、ストロボ制御回路、ストロボコンデンサ等を含むストロボ発光部７４が接続される。
【００２６】
次に、シャッタ駆動制御部３５及びシステムコントローラ６１の制御下で行われる、電子カメラ１０の撮影モードにおけるシャッタ２５の動作について詳述する。図２及び図３は、夫々低速シャッタ時（例えば１／５００ｍｓｅｃ以上）及び高速シャッタ時（例えば１／５００ｍｓｅｃ未満）のシャッタ２５の動作シーケンスを示すタイミングチャートである。図４は撮影モードの初期に設定される、低速及び高速シャッタ時に共通のセットアップ状態における先幕２６及び後幕２７と撮像素子３０の撮像面３０ａとの関係を示す図である。図５（ａ）〜（ｃ）は高速シャッタ時の先幕２６及び後幕２７と撮像素子３０の撮像面３０ａとの関係を示す図である。
【００２７】
先幕２６及び後幕２７の夫々は、上端部側が夫々のアクチュエータ３６、３７のモータにより駆動されるロールにより巻き取られ、下端部側がばねにより駆動されるロールにより巻き取られるように構成される。先幕２６及び後幕２７は、モータ側のロールに巻き取られてチャージ状態となり、夫々のアクチュエータ３６、３７のソレノイドがオフされると、リリースされて高速度でばね側のロールに巻き取られる。
【００２８】
チャージ状態において、先幕２６は撮像素子３０の撮像面３０ａを遮蔽する閉鎖状態となり、後幕２７は撮像面３０ａを遮蔽しない開放状態となる。逆に、リリース状態において、先幕２６は撮像素子３０の撮像面３０ａを遮蔽しない開放状態となり、後幕２７は撮像面３０ａを遮蔽する閉鎖状態となる。即ち、先幕２６及び後幕２７は、チャージ状態及びリリース状態において、閉鎖状態と開放状態とが全く逆となるように設定される。
【００２９】
図２及び図３の左側に示すように、撮影モードに入る前は、先幕２６が撮像素子３０の撮像面３０ａを遮蔽しない開放状態にあり、後幕２７が撮像面３０ａを遮蔽する閉鎖状態にある（先幕２６及び後幕２７は共にリリース状態）。撮影モードに入ると、先ず、後幕２７のみがチャージされ、図４図示のセットアップ状態が設定される。即ち、ここで、先幕２６及び後幕２７は共に撮像面３０ａを遮蔽しない開放状態にある（先幕２６はリリース状態、後幕２７はチャージ状態）。このような状態で、撮像素子３０を使用して、画像表示ＬＣＤ１５上での被写体のモニタリングが行われる。
【００３０】
この時、電子カメラ１０は、レリーズＳＷ（スイッチ）がオンされるのを待つ状態にある（図２及び図３ではスタンバイとして示される）。本実施の形態において、レリーズＳＷは、第１及び第２段の２段階で作動するように設定される。レリーズＳＷが第１段まで押されると、セットアップ状態を維持したまま、撮像素子３０を使用して、ＡＥ（自動露光）／ＡＦ（自動焦点）処理のための測光が行われる（図２及び図３ではＡＥ／ＡＦとして示される）。
【００３１】
図２図示の如く、低速シャッタ時において、レリーズＳＷが第２段まで押されると、セットアップ状態を維持したまま、素子シャッタ（撮像素子３０のターンオン／オフにより規定される）がオンされ、撮像が開始される。予め設定された所定の撮像時間が経過すると、後幕２７がリリースされ、撮像面３０ａが遮蔽される。その後、読み出しのために撮像素子３０の信号の転送が行われ（スミア防止のため、後幕２７で撮像面３０ａを遮蔽したまま）、読み出し後にセットアップ状態に戻る。即ち、この場合、素子シャッタのオンからメカシャッタ２５による遮蔽の間の期間により、銀塩カメラにおける露光時間に相当する時間（以下、露光時間という）が決まる。
【００３２】
なお、低速シャッタ時において、後幕２７の閉鎖（リリース）ではなく、先幕２６の閉鎖（チャージ）により露光終了を行うことができる。但し、幕２６、２７の移動速度は、チャージよりもリリースのほうが速いので、後幕２７のリリースによる閉鎖により露光終了を行うことが望ましい。また、インターレスＣＣＤの場合には露光終了をメカシャッタ２５で行うことが必須となるが、プログレッシブＣＣＤの場合には露光終了を素子シャッタで行ってもよい。
【００３３】
一方、図３図示の如く、高速シャッタ時において、レリーズＳＷが第２段まで押されると、セットアップ状態から先幕２６がチャージされ、図５（ａ）図示のレディ状態が設定される。即ち、ここで、先幕２６は撮像面３０ａを遮蔽する閉鎖状態にあり、後幕２７は撮像面３０ａを遮蔽しない開放状態にある（先幕２６及び後幕２７は共にチャージ状態）。
【００３４】
レディ状態が設定されると、この状態を維持したまま、先ず、素子シャッタがオン状態とされる。次に、先幕２６がリリースされると共に、先幕２６の移動中に後幕２７がリリースされ、後幕２７の移動が開始する。換言すると、先幕２６及び後幕２７が幾分のタイムラグを以ってリリースされ、並行して走行しながら撮像面３０ａの露光が行われる（図５（ｂ））。後幕２７により撮像面３０ａが遮蔽されると（図５（ｃ））、露光が終了する。その後、読み出しのために撮像素子３０の信号の転送が行われ（スミア防止のため、後幕２７で撮像面３０ａを遮蔽したまま）、読み出し後にセットアップ状態に戻る。即ち、この場合、先幕２６の後尾と後幕２７の先頭との間のスリット状の隙間２５ａの間隔（大きさ）により、銀塩カメラにおける露光時間に相当する時間（以下、露光時間という）が決まる（スリットシャッタモード）。
【００３５】
なお、レディ状態において、撮像面３０ａは先幕２６により遮蔽されるため、この間は、撮像素子３０を使用して、画像表示ＬＣＤ１５上での被写体のモニタリングを行うことができない。従って、本実施の形態のように、レディ状態の設定をレリーズＳＷの第２段の後とし、レディ状態から露光開始まではなるべく短い時間とすることが望ましい。
【００３６】
図６は、低速シャッタ時と高速シャッタ時とのシャッタ動作の相違を理解し易くするため、撮影モードにおける先幕２６及び後幕２７の動作をフローチャート的に表した図である。
【００３７】
撮影モードに入ると、先ず、セットアップ状態が設定される（工程Ｓ０）。ここで、先幕２６及び後幕２７は共に撮像面３０ａを遮蔽しない開放状態にある（先幕２６はリリース状態、後幕２７はチャージ状態）。
【００３８】
低速シャッタ時において、レリーズＳＷが第２段まで押されると、セットアップ状態を維持したまま、素子シャッタがオンされ、撮像が開始される（工程Ｓ１）。予め設定された所定の撮像時間が経過すると、後幕２７がリリースされ、撮像面３０ａが遮蔽される（工程Ｓ２）。その後、この状態を維持したまま、読み出しのために撮像素子３０の信号の転送が行われ（工程Ｓ５）、読み出し後にセットアップ状態に戻る（工程Ｓ１０）。
【００３９】
一方、高速シャッタ時において、レリーズＳＷが第２段まで押されると、セットアップ状態から先幕２６がチャージされ、レディ状態が設定される（工程Ｓ１１）。ここで、先幕２６は撮像面３０ａを遮蔽する閉鎖状態にあり、後幕２７は撮像面３０ａを遮蔽しない開放状態にある（先幕２６及び後幕２７は共にチャージ状態）。
【００４０】
レディ状態で素子シャッタがオンされた後、先幕２６及び後幕２７が幾分のタイムラグを以ってリリースされ、並行して走行しながら撮像面３０ａの露光が行われる（工程Ｓ１２、Ｓ１３）。後幕２７により撮像面３０ａが遮蔽されると（工程Ｓ１４）、露光が終了する。その後、この状態を維持したまま、読み出しのために撮像素子３０の信号の転送が行われ（工程Ｓ５）、読み出し後にセットアップ状態に戻る（工程Ｓ１０）。
【００４１】
このように、撮像素子３０のターンオン／オフにより規定される素子シャッタと、メカシャッタであるフォーカルプレーンシャッタ２５との動作タイミングを最適化することにより、撮像素子３０の活用を妨げることなく、低速シャッタ時と高速シャッタ時とで、露光時間を異なる態様で規定することができる。従って、銀塩カメラなみの高速シャッタ動作を達成する一方、撮像素子３０の機能を十分に活用することができるようになる。
【００４２】
図７は本発明の別の実施の形態に係る電子カメラの撮影モードにおける先幕２６及び後幕２７の動作をフローチャート的に表した図である。
【００４３】
この実施の形態においては、先幕２６がチャージ状態、半チャージ状態及びリリース状態の３つの状態をとることができる。先幕２６は、半チャージ状態においてのみ撮像素子３０の撮像面３０ａを遮蔽する閉鎖状態となり、チャージ状態及びリリース状態では撮像面３０ａを遮蔽しない開放状態となる。一方、後幕２７は、先の実施の形態のものと同じであり、即ち、チャージ状態において、撮像素子３０の撮像面３０ａを遮蔽しない開放状態となり、リリース状態において、撮像面３０ａを遮蔽する閉鎖状態となる。
【００４４】
この実施の形態においても、撮影モードに入ると、先ず、セットアップ状態が設定される（工程Ｓ２０）。ここで、先幕２６及び後幕２７は共に撮像面３０ａを遮蔽しない開放状態にある（先幕２６及び後幕２７は共にチャージ状態）。
【００４５】
低速シャッタ時において、レリーズＳＷが第２段まで押されると、セットアップ状態を維持したまま、素子シャッタがオンされ、撮像が開始される（工程Ｓ２１）。予め設定された所定の撮像時間が経過すると、後幕２７がリリースされ、撮像面３０ａが遮蔽される（工程Ｓ２２）。その後、この状態を維持したまま、読み出しのために撮像素子３０の信号の転送が行われ（工程Ｓ２５）、読み出し後にセットアップ状態に戻る（工程Ｓ３０）。
【００４６】
一方、高速シャッタ時において、レリーズＳＷが第２段まで押されると、セットアップ状態から先幕２６が半分だけリリースされ、レディ状態が設定される（工程Ｓ３１）。ここで、先幕２６は撮像面３０ａを遮蔽する閉鎖状態にあり、後幕２７は撮像面３０ａを遮蔽しない開放状態にある（先幕２６は半チャージ状態、後幕２７はチャージ状態）。
【００４７】
レディ状態で素子シャッタがオンされた後、先幕２６及び後幕２７が幾分のタイムラグを以ってリリースされ、並行して走行しながら撮像面３０ａの露光が行われる（工程Ｓ３２、Ｓ３３）。後幕２７により撮像面３０ａが遮蔽されると（工程Ｓ３４）、露光が終了する。その後、この状態を維持したまま、読み出しのために撮像素子３０の信号の転送が行われ（工程Ｓ３５）、読み出し後にセットアップ状態に戻る（工程Ｓ３０）。
【００４８】
このように、異なる構造のフォーカルプレーンシャッタを使用した場合にも、先の実施の形態と実質的に同様に、素子シャッタとメカシャッタとの動作タイミングを最適化することができ、従って同様な効果を得ることができる。
【００４９】
なお、上述の実施の形態においては、フォーカルプレーンシャッタ２５として、先幕２６及び後幕２７を有するタイプのシャッタ２５が例示されるが、本発明は、更に多数の羽根を有するタイプのフォーカルプレーンシャッタにも適用することができる。
【００５０】
その他、本発明の思想の範疇において、当業者であれば、各種の変更例及び修正例に想到し得るものであり、それら変更例及び修正例についても本発明の範囲に属するものと了解される。
【００５１】
【発明の効果】
本発明によれば、フォーカルプレーンシャッタを内蔵する電子カメラにおいて、撮像素子のターンオン／オフにより規定される素子シャッタと、メカシャッタであるフォーカルプレーンシャッタとの動作タイミングを最適化することにより、銀塩カメラなみの高速シャッタ動作を達成する一方、撮像素子の機能を十分に活用することができるようになる。
【図面の簡単な説明】
【図１】本発明の実施の形態に係る電子カメラ内の回路を中心に全体の構成示すブロック図。
【図２】図１図示の電子カメラにおける、低速シャッタ時のシャッタの動作シーケンスを示すタイミングチャート。
【図３】図１図示の電子カメラにおける、高速シャッタ時のシャッタの動作シーケンスを示すタイミングチャート。
【図４】図１図示の電子カメラにおいて、撮影モードの初期に設定される、低速及び高速シャッタ時に共通のセットアップ状態における先幕及び後幕と撮像素子の撮像面との関係を示す図。
【図５】（ａ）〜（ｃ）は、図１図示の電子カメラにおける、高速シャッタ時の先幕及び後幕と撮像素子の撮像面との関係を示す図である。
【図６】図１図示の電子カメラの撮影モードにおける先幕及び後幕の動作をフローチャート的に表した図。
【図７】本発明の別の実施の形態に係る電子カメラの撮影モードにおける先幕及び後幕の動作をフローチャート的に表した図。
【符号の説明】
１０：電子カメラ
１５：ＬＣＤ
２１：ズームレンズ
２２：絞り
２３：フォーカスレンズ
２４：ビームスプリッタ
２５：フォーカルプレーンシャッタ
２５ａ：スリット状の隙間
２６：先幕
２７：後幕
２８：ＩＲカットフィルタ
２９：ローパスフィルタ
３０：ＣＣＤ撮像素子（光電変換素子）
３０ａ：撮像面
【図１】
0004372963.tif 000002
【図２】
0004372963.tif 000003
【図３】
0004372963.tif 000004
【図４】
0004372963.tif 000005
【図５】
0004372963.tif 000006
【図６】
0004372963.tif 000007
【図７】
0004372963.tif 000008